(57)【特許請求の範囲】
【請求項１】
一方の面に大径の第１の円盤状記録媒体が載置される第１の凹部と上記第１の円盤状記録媒体より小径の第２の円盤状記録媒体が載置される上記第１の凹部より小径の第２の凹部が同心円状に形成されるとともに、少なくとも上記第１及び第２の凹部の中心を含んで外周に亘って切欠部が形成されたディスクトレイと、
上記切欠部内に進入し且つ離脱可能となす幅を有し、上記第１又は第２の凹部に載置された円盤状記録媒体を回転駆動する回転駆動機構と、この回転駆動機構によって回転駆動される円盤状記録媒体に対し情報信号の記録及び／又は再生を行う記録及び／又は再生手段と、この記録及び／又は再生手段を上記回転駆動機構によって回転駆動される円盤状記録媒体の内外周に亘って送り操作する送り機構が配設されたベースとを有してなる記録及び／又は再生装置。
【発明の詳細な説明】
【０００１】
【発明の属する技術分野】
本発明は、光ディスクなどの円盤状記録媒体を記録媒体に用いる記録及び／又は再生装置に関する。
【０００２】
【従来の技術】
従来、円盤状記録媒体である光ディスクを記録媒体に用いる記録及び／又は再生装置であるディスクプレーヤにおいて、装置本体の内外に亘って移動操作されるディスクトレイを用いて光ディスクをローディングするようにしたものが用いられている。
【０００３】
このディスクプレーヤは、ディスクトレイを装置本体の外方に突出され、光ディスクの装脱を可能となす第１の位置と装置本体に引き込まれた第２の位置との間にわたって移動可能に設け、ディスクトレイを装置本体内の第２の位置に引き込むことによって、このディスクトレイに載置された光ディスクを装置本体内の再生位置にローディングする。
【０００４】
装置本体内の再生位置には、ディスクトレイに載置された光ディスクを回転駆動するディスク回転駆動機構とこのディスク回転駆動機構によって回転駆動される光ディスクに記録された情報信号の読み出しを行う光ピックアップ装置が配設されている。
【０００５】
ディスク回転駆動機構及び光ピックアップ装置は、第２の位置に移動されたディスクトレイの下面側に配設されるベースに取り付けられ、ベースとともにディスクトレイに対し近接離間する方向に移動可能に支持されている。ベースは、ディスクトレイが装置本体の第２の位置に引き込まれるとディスクトレイに近接する方向に移動される。ベースがディスクトレイ側に移動すると、ディスク回転駆動機構のディスクテーブルが、ディスクトレイに設けた切欠部を介してディスクトレイの光ディスクが載置された凹部内に突出する。ディスクテーブルがディスクトレイの凹部内に突出することにより、凹部内に載置された光ディスクが凹部の底面から浮上してディスクテーブル上に装着させる。このとき、ベースに配設された光ピックアップ装置もディスクテーブル上に装着された光ディスクに近接した位置に移動される。
【０００６】
ベースをディスクトレイ側に移動し、ディスクテーブル上に光ディスクを装着させた後ディスク回転駆動機構を駆動して光ディスクをディスクテーブルと一体に回転駆動するとともに、ピックアップ送り機構を駆動して光ピックアップ装置を光ディスクの内外周に亘って送り操作しながら光ピックアップ装置から出射される光ビームによって光ディスクの信号記録領域を走査することによって、光ディスクに記録された情報信号の再生が行われる。
【０００７】
【発明が解決しようとする課題】
ところで、光ディスクの如き円盤状記録媒体には、大きさを異にする各種のものが用いられている。例えば、オーディオ情報などを記録した光ディスクにあっては、直径を１２ｃｍとなすものと直径を８ｃｍとなすものがある。そして、オーディオ情報を再生するために用いられる上述したようなディスクプレーヤにあっては、直径を１２ｃｍとなす大径の第１の光ディスクと直径を８ｃｍとなす小径の第２の光ディスクの双方を用いることを可能となすものが用いられている。
【０００８】
大径の第１の光ディスクと小径の第２の光ディスクの双方を用いることを可能とするディスクプレーヤに設けられるディスクトレイには、径を異にする第１及び第２の光ディスクをそれぞれ位置決めして載置することを可能となすため、それぞれ径を異にする第１の光ディスクを載置するための第１の凹部と第２の光ディスクを載置するための第２の凹部が設けられている。第２の凹部は、第１の凹部の底面部を一段窪ませるようにして第１の凹部と同心円状に形成されている。
【０００９】
このように、大径の第１の光ディスクとともに小径の第２の光ディスクを用いることを可能としたディスクプレーヤに用いられるディスクトレイに設けられるディスクテーブルなどを進入させるための切欠部は、小径の第２の光ディスクを載置したとき、このディスクが第２の凹部から落下しないような小さな幅をもって形成されている。
【００１０】
大きさを異にする第１及び第２の光ディスクを用いることを可能としたディスクプレーヤに用いられるディスクトレイに形成される切欠部は、幅が小さいものであるので、従来用いられているこの種のディスクプレーヤは、光ディスクが載置されるディスクテーブルと光ピックアップ装置の対物レンズを含む２軸アクチュエータの部分のみを切欠部内に進入するようにしている。
【００１１】
このように、ディスクテーブル及び対物レンズを含む２軸アクチュエータの部分のみをディスクトレイの切欠部に進入するように構成したディスクプレーヤにあっては、ベースがディスクトレイ側に近接する方向に移動された場合であっても、ディスクテーブルを回転駆動するスピンドルモータの主体部や光ピックアップ装置の光学ブロックなどがベースとともにディスクトレイの下面側に位置するため、ベースからディスクトレイに至る厚さを薄くすることができず、装置全体の薄型化を図ることが困難となる。
【００１２】
また、装置本体内に回転テーブルを設け、この回転テーブル上に複数のディスクトレイを配置し、これらディスクトレイ上に載置された光ディスクを選択的に再生するようにしたディスク交換機能を備えたディスクプレーヤに適用した場合には、回転テーブルとともにこの回転テーブル上に載置されたディスクトレイ内にディスクテーブル及び対物レンズを含む２軸アクチュエータを進入させる必要があり、ベースからディスクトレイに至る厚さが一層厚くなり、装置全体の薄型化を図ることが一層困難となる。
【００１３】
さらに、複数のディスクトレイを収納部に多段状に収納し、この収納部に収納されたディスクトレイ中から任意の１つを順次選択して引き出し、このディスクトレイに載置された光ディスクの再生を行うようにしたディスクプレーヤに適用した場合には、ディスク回転駆動機構及び光ピックアップ装置を配設したベースの全体をディスクトレイの外方に逃がす必要がある。すなわち、多段状に積層された任意のディスクトレイの位置までディスク回転駆動機構及び光ピックアップ装置を移動するためには、ディスクトレイの衝突を回避するためである。このように、ディスク回転駆動機構及び光ピックアップ装置を配設したベースの全体をディスクトレイの外方に逃がすように構成されたディスクプレーヤにあっては、装置全体が大型化してしまう。
【００１４】
そこで、本発明の目的は、装置全体の薄型化及び小型化を図ることができる記録及び／又は再生装置を提供することにある。
【００１５】
また、本発明の他の目的は、ディスク回転駆動機構及び光ピックアップ装置の移動距離を小さくし、装置の移動操作を容易となし、さらに、ディスクトレイの移動操作も容易に行うことができる記録及び／又は再生装置を提供することにある。
【００１６】
本発明の更に他の目的は、径を異にする円盤状記録媒体を用いながら、装置全体の薄型化及び小型化を図ることができる記録及び／又は再生装置を提供することにある。
【００１７】
【課題を解決するための手段】
本発明に係る記録及び／又は再生装置は、上述したような目的を達成するため、一方の面に大径の第１の円盤状記録媒体が載置される第１の凹部と第１の円盤状記録媒体より小径の第２の円盤状記録媒体が載置される第１の凹部より小径の第２の凹部が同心円状に形成されたディスクトレイを備える。このディスクトレイには、少なくとも第１及び第２の凹部の中心を含んで外周に亘って切欠部が形成され、この切欠部内に進入し且つ離脱可能となす幅を有するベースを備える、このベースに第１又は第２の凹部に載置された円盤状記録媒体を回転駆動する回転駆動機構と、この回転駆動機構によって回転駆動される円盤状記録媒体に対し情報信号の記録及び／又は再生を行う記録及び／又は再生手段と、この記録及び／又は再生手段を上記回転駆動機構によって回転駆動される円盤状記録媒体の内外周に亘って送り操作する送り機構を配設する。
【００１８】
ベースが、ディスクトレイの切欠部に進入したとき、ベースに配設されたディスク回転駆動機構及び記録及び／又は再生手段が切欠部内に進入する。
【００１９】
【発明の実施の形態】
以下、本発明を光ディスクを記録媒体に用いるディスクプレーヤに適用した例を挙げて説明する。
【００２０】
本発明に係るディスクプレーヤは、図１に示すように、直径を１２ｃｍとなす大径の第１の光ディスク１と、直径を８ｃｍとなす第１の光ディスク１より小径の第２の光ディスク２が選択的に載置されるディスクトレイ３を備える。ディスクトレイ３の一方の面側には、図１及び図２に示すように、第１の光ディスク１が位置決めされて載置される第１の凹部４と、第２の光ディスク２が位置決めされて載置される第２の凹部５が形成されている。小径の第２の光ディスク２が載置される第２の凹部５は、第１の凹部４の底部６を一段窪ませるようにして第１の凹部４と同心円状に形成されている。
【００２１】
第１及び第２の凹部４，５は、第１及び第２の光ディスク１，２が載置されたとき、これら凹部４，５からの容易な脱落を防止し、載置位置の位置決めを行い得るように形成されている。第１の凹部４は、第１の光ディスク１の外径よりやや大きな内周径を有し、第１の光ディスク１の厚さと同等若しくはやや深く形成され、第２の凹部５も第２の光ディスク２の外径よりやや大きな内周径を有し、第２の光ディスク２の厚さと同等若しくはやや深く形成されている。このように第１及び第２の光ディスク１，２を収納するように載置するに足る深さを有する第１及び第２の凹部４，５を同心円状に設けたディスクトレイ３は、図２に示すように、第１及び第２の光ディスク１，２の厚さと同等若しくはやや深い第１及び第２の凹部４，５を多段に形成するに足る厚さＤ1をもって形成されている。
【００２２】
そして、ディスクトレイ３には、図１に示すように、第１及び第２の凹部４，５の中心部を含んで、このディスクトレイ３の中央部から背面側の外周に亘って略矩形状をなす切欠部７が形成されている。この切欠部７は、ディスクトレイ３上に小径の第２の光ディスク２が載置された場合であっても、確実に第２の凹部５上に載置され、落下を確実に防止し得るような幅Ｗ1をもって形成されている。具体的には、切欠部７は、４６〜５０ｍｍの幅Ｗ1をもって形成される。切欠部７の内方側の先端部７ａは、この切欠部７に進入するディスクテーブルの外形に対応する円弧状に形成されている。
【００２３】
ディスクトレイ３は、図示しないが、装置本体に設けたトレイ挿脱口を介して、第１又は第２の凹部４，５に対し第１又は第２の光ディスク１，２を装脱可能となす第１の位置と装置本体に引き込まれた演奏位置である第２の位置との間に亘って移動可能に配設されている。ディスクトレイ３は、装置本体内に配設されるトレイ移動操作機構により設け、第１の位置と第２の位置との間に亘って移動操作される。
【００２４】
本発明に係るディスクプレーヤは、図１に示すように、ディスクトレイ３に形成された略矩形状の切欠部７に対応する矩形状に形成され、切欠部７内に進入し且つ離脱可能となす幅Ｗ2を有するベース１１を備える。このベース１１には、ディスクトレイ３に載置され装置本体内の再生位置に移動された第１又は第２の光ディスク１，２が装着され、この第１又は第２の光ディスク１，２を回転駆動するディスク回転駆動機構１２と、ディスク回転駆動装置１２に装着されて回転駆動される第１又は第２の光ディスク１，２の信号記録領域を光源から出射される光ビームによって走査することによって第１又は第２の光ディスク１，２に記録された情報信号の読み取りを行う光ピックアップ装置１３と、この光ピックアップ装置１３を第１又は第２の光ディスク１，２の径方向に内外周に亘って移動操作するピックアップ送り機構１４が取り付けられている。
【００２５】
ディスク回転駆動機構１２は、図２に示すように、ベース１１がディスクトレイ３の切欠部７に進入したとき、図１に示すように、切欠部７の先端部７ａ側である第１及び第２の凹部４，５の中央部に臨むベース１の先端部側に配設されている。このディスク回転駆動装置１２は、スピンドルモータ１５とスピンドルモータ１５のスピンドル軸１６の先端部に取り付けられこのスピンドル軸駆動軸１６と一体に回転するディスクテーブル１７とを備える。
【００２６】
ディスク回転駆動機構１２は、図２に示すように、ベース１１の下面側に半円状に突出するように形成された位置規制壁１８によって囲まれたモータ取付部１９にスピンドルモータ１５を嵌合し、このスピンドルモータ１５をベース１１の上面側から挿通される固定ネジによりベース１１に固定することによりこのベース１１に取り付けられる。このとき、スピンドルモータ１５は、上面側をベース１１の下面に突き当てられ、スピンドル軸１６をベース１１の上面側に突出させててベース１１に固定される。
【００２７】
ベース１１の上面側に突出したスピンドル軸１６の先端には、図２に示すように、ディスクテーブル１７が一体的に取り付けられる。このディスクテーブル１７の中心部には、第１又は第２の光ディスク１，２のディスクテーブル１７に対する載置位置の芯出しを図るためのセンタリング部１７ａが突設されている。センタリング部１７ａは、先端側に向かって縮径され、第１又は第２の光ディスク１，２の中心孔１ａ，２ａが係合することによって、第１又は第２の光ディスク１，２のディスクテーブル１７に対する載置の芯出しを図る。
【００２８】
このように、スピンドルモータ１５をベース１１の下面側に位置させ、ディスクテーブル１７をベース１１の上面側に位置させてベース１１に支持されたディスク回転駆動機構１２は、ベース１１がディスクトレイ３の切欠部７に進入するように移動されると、図２及び図３に示すように、ディスクテーブル１７がディスクトレイ３の第１及び第２の凹部４，５内に進入してさらに上方に突出する。ディスクテーブル１７が第１及び第２の凹部４，５内に突出することにより、第１又は第２の凹部４，５に載置された第１又は第２の光ディスク１，２が第１又は第２の凹部４，５から浮上され、ディスクテーブル１７上に載置される。
【００２９】
光ピックアップ装置１３は、図３に示すように、ディスクテーブル１７に載置された第１又は第２の光ディスク１，２に照射される光ビームを出射する半導体レーザ等の光源２２ａを内蔵した光学ブロック２２と、光源から出射された光ビームをディスクテーブル１７に載置された第１又は第２の光ディスク１，２の信号記録面に収束させて照射するための対物レンズ２３とを備える。この対物レンズ２３は、対物レンズ２３の光軸方向及びこの光軸方向と直交する平面方向に移動可能に２軸アクチュエータに支持されている。対物レンズ２３は、ディスクテーブル１７に載置されこのディスクテーブル１７と一体に回転駆動される第１又は第２の光ディスク１，２に照射され、この第１又は第２の光ディスク１，２から反射される戻りの光ビームを検出して得られるフォーカスエラー信号及びトラッキングエラー信号に基づいて２軸アクチュエータが駆動されることのより、この対物レンズ２３の光軸方向及びこの光軸方向と直交する平面方向に移動に移動変位される、対物レンズ２３が、フォーカスエラー信号及びトラッキングエラー信号に基づいて駆動変位されることにより、対物レンズ２３から照射される光ビームが第１又は第２の光ディスク１，２の信号記録面に合焦し、第１又は第２の光ディスク１，２に形成された所定の記録トラックを走査するするように制御される。
【００３０】
なお、光学ブロック２２内には、光源から出射された光ビームを対物レンズ２３に導き、第１又は第２の光ディスク１，２から反射され対物レンズ２３に入射された戻りの光ビームを光検出器に導くビームスプリッタ等の光学素子が内蔵されている。
【００３１】
光ピックアップ装置１３は、図１に示すように、光学ブロック２２の一端側にガイド軸挿通孔２４を穿設した一対のガイド軸支持片２５が設けられ、光学ブロック２２の他端側にベース１１の一部に係合されるガイド支持片２６が設けられている。光ピックアップ装置１３は、図１に示すように、対物レンズ２３をベース１１の上面側に臨ませ、ベース１１の長手方向に亘って形成された開口部２７内に位置する配設される。この光ピックアップ装置１３は、ガイド軸挿通孔２４を、図１に示すように、ベース１１のディスクトレイ３と対向する上面側に取り付けられた送りネジ２８に挿通し、断面Ｌ字状に形成したガイド支持片２６を、図４に示すように、ベース１１に形成した開口部７の一側に係合させることにより、ディスクテーブル１７に近接した位置と離間した位置との間に亘ってディスクテーブル１７上に載置される第１又は第２の光ディスク１，２の径方向と平行な図１中矢印Ｘ1方向及び矢印Ｘ2方向に移動可能に支持される。なお、送りネジ２８は、ベース１１に設けたネジ支持片２８ａ，２８ｂに両端が支持され、ベース１１上に回転可能に支持されている。また、光ピックアップ装置１３は、図１に示すように、光学ブロック２２の一側に設けた弾性変位可能な支持片２０に取り付けた係合ピン２０ａを送りネジ２８のネジ溝２８ａにに圧接係合することにより送りネジ２８に連結されている。
【００３２】
光ピックアップ装置１３は、光学ブロック２２がベース１１の上面側に配設した送りネジ２８に支持されることにより、この装置１３の略全体がベース１１の上面側に配置される。
【００３３】
そして、光ピックアップ装置１３は、送りネジ２８がピックアップ送りモータ３０により回転駆動されることにより、図１中矢印Ｘ1方向及び矢印Ｘ2方向に移動操作される。ピックアップ送りモータ３０は、図３及び図４に示すように、ベース１１の下面側に取り付けられ、駆動軸３１に取り付けられたウォームギヤ３２に噛合する第１の連結ギヤ３３を送りネジ２８の一端部に取り付けた第２の連結ギヤ３４に噛合することによって送りネジ２８に連結されている。
【００３４】
上述のように、ディスク回転駆動機構１２及び光ピックアップ装置１３が取り付けられたベース１１は、図２及び図３に示すように、各コーナ部に配設されるダンパー部材３５を介して、装置本体を構成する筐体内に配設される支持基板３６上に支持される。ダンパー部材３５は、ゴムなどの弾性部材により形成され、支持基板３６に植立された支軸３７に挿通支持されている。ベース１１は、各コーナ部に穿設した挿通孔３８をダンパー部材３５の中途部に縮径するように形成した係合凹部３５ａに係合することによって、支持基板３６上に弾性変位可能に支持される。このようにベース１１は、ダンパー部材３５を介して支持基板３６上に支持されることにより、装置本体に加えられる外乱が直接伝達することが防止されている。
【００３５】
ベース１１を支持した支持基板３６は、図示しないが、ディスクトレイ３に近接離間する図２及び図５中矢印Ｙ1方向及び矢印Ｙ2方向に移動可能に支持されている。支持基板３６は、ディスクトレイ３が装置本体から突出した第１の位置と装置本体に引き込まれた演奏位置である第２の位置との間に亘って移動操作される第１又は第２の光ディスク１，２のローディング時又はアンローディング時に、図２中矢印Ｙ2方向のディスクトレイ３の下方側に移動される。支持基板３６が図２中矢印Ｙ2方向に移動されることにより、ベース１１も図２中矢印Ｙ2方向に移動される。このとき、ベース１１は、図５に示すように、ディスク回転駆動機構１２のディスクテーブル１７及び光ピックアップ装置１３の対物レンズ２３がディスクトレイ３の第１及び第２の凹部４，５の下方側に位置し、第１又は第２の凹部４，５に載置される第１又は第２の光ディスク１，２に接触しない位置まで移動される。
【００３６】
また、ディスクトレイ３が装置本体内の演奏位置である第２の位置まで引き込まれると、支持基板３６がディスクトレイ３に近接する図２及び図５中矢印Ｙ1方向に移動される。支持基板３６が図２及び図５中矢印Ｙ1方向に移動することにより、この支持基板３６に支持されたベース１１も図２及び図５中矢印Ｙ1方向に移動し、ベース１１に取り付けられたディスク回転駆動機構１３のディスクテーブル１７がディスクトレイ３内に突出し、第１又は第２の凹部４，５に載置された第１又は第２の光ディスク１，２が第１又は第２の凹部４，５から浮上され、ディスクテーブル１７上に載置され、ディスクテーブル１７と一体に回転可能な状態となる。
【００３７】
ディスクテーブル１載置された第１又は第２の光ディスク１，２は、この光ディスク１，２の再生が完了し、支持基板３６がディスクトレイ３の下方側に向かう図２中矢印Ｙ2方向に移動し、ディスクテーブル１７がディスクトレイ３の下方に移動されると、図５に示すように、ディスクテーブル１７から外れ、第１又は第２の凹部４，５に載置され、ディスクトレイ３とともに装置本体の外方の第１の位置に移動可能な状態となる。
【００３８】
ところで、支持基板３６は、図示しない移動操作機構によってディスクトレイ３に対し垂直に移動操作され、あるいは基端部側を回動可能に支持されることによりディスクトレイ３に対し接離する図２及び図５中矢印Ｙ1方向及び矢印Ｙ2方向に移動操作される。
【００３９】
上述したように、本発明に係るディスクプレーヤは、ディスク回転駆動機構１２及び光ピックアップ装置１３が取り付けられたベース１１をディスクトレイ３に形成される切欠部７内に進入し且つ離脱可能となす幅Ｗ2をもって形成してなるので、ディスクトレイ３に載置された第１又は第２の光ディスク１，２をディスクテーブル１７に載置し、ディスクテーブル１７と一体に回転可能とする図２及び図３に示す再生状態において、ベース１１とディスクトレイ３とが同一平面に位置させることができ、ディスクテーブル１７のディスクトレイ３に対する進退量を小さくしても第１又は第２の凹部４，５に載置される第１又は第２の光ディスク１，２のディスクテーブル１７への装脱を行うことが可能となり、スピンドルモータ１５からディスクテーブル１７の先端までの高さＨ1（図５参照）を小さくすることができ、装置本体の薄型化を図ることができる。
【００４０】
特に、スピンドルモータ１５をベース１１の下面側に配し、ディスクテーブル１７をベース１１の上面側に配設することにより、ベース１１の上面側の高さを一層低くすることができ、装置本体の一層の薄型化を図ることができる。
【００４１】
上述した例では、ディスク回転駆動機構１２及び光ピックアップ装置１３を取り付けたベース１１が、ディスクトレイ３の下面側から略垂直にディスクトレイ３に進入し若しくは離脱するように構成されているが、本発明に係る記録及び／又は再生装置は、ベース１１が、図６に示すように、ディスクトレイ３に対し水平な方向である矢印Ｚ1方向及び矢印Ｚ2方向に移動してディスクトレイ３に進入し若しくは離脱するように構成することにより、装置本体の薄型化とともに小型化を図ることができる。
【００４２】
図６に示す記録及び／又は再生装置は、ディスク回転駆動機構１２及び光ピックアップ装置１３が取り付けられたベース１１に対しディスクトレイ３を光ピックアップ装置１３に設けられる対物レンズ２３の光軸と平行な方向の垂直方向に移動することによって、第１又は第２の凹部４，５に載置される第１又は第２の光ディスク１，２のディスクテーブル１７への装脱を行うように構成されたものである。
【００４３】
この記録及び／又は再生装置にあっては、ディスクトレイ３の移動を行う際、ベース１１は、図６に示すように、ディスクトレイ３の第１又は第２の凹部４，５に重ならない位置まで移動させるだけで足りるので、ベース１１の移動量を小さくすることができ、装置全体の小型化を図ることができる。
【００４４】
上述した例では、第１又は第２の光ディスク１，２に記録された情報信号の再生を行うディスクプレーヤに本発明を適用した例を挙げて説明したが、本発明には、光ディスクなどの円盤状記録媒体を用い、この記録媒体に情報信号の記録再生を行う装置に広く適用できるものである。
【００４５】
【発明の効果】
上述したように、本発明に係る記録及び／又は再生装置は、ディスクトレイに載置される径を異にする第１又は第２の円盤状記録媒体を回転駆動する回転駆動機構及びこの回転駆動機構によって回転駆動される第１又は第２の円盤状記録媒体に情報信号の記録及び／又は再生を行う記録及び／又は再生手段が配設されるベースを、ディスクトレイに設けられる切欠部に進入し且つ離脱可能な幅に形成しているので、ディスクトレイに対し相対移動することによってディスクトレイに載置された第１又は第２の円盤状記録媒体の装着が行われる回転駆動機構の高さを低く抑えることができ、装置全体の薄型化を図ることができ、さらに、ベースのディスクトレイに対する移動量を小さくすることができるので、ベースの移動操作が容易となるばかりか、装置全体の小型化を図ることができる。
【図面の簡単な説明】
【図１】本発明が適用されたディスクプレーヤの要部を示す平面図である。
【図２】ディスク回転駆動機構及び光ピックアップ装置が取り付けられたベースがディスクトレイ側に移動され光ディスクの再生を行う状態を示す縦断面図である。
【図３】ディスク回転駆動機構及び光ピックアップ装置が取り付けられたベースがディスクトレイ側に移動され光ディスクの再生を行う状態を示す縦断面図である。
【図４】光ピックアップ装置の送り機構を示す断面図である。
【図５】ディスク回転駆動機構及び光ピックアップ装置が取り付けられたベースがディスクトレイから離脱され、ディスクトレイが移動可能とされた状態を示す縦断面図である。
【図６】本発明に係る記録及び／又は再生装置の他の例を示すものであって、ベースがディスクトレイに対し水平方向に移動される例を示す概略平面図である。
【符号の説明】
１  第１の光ディスク、  ２  第２の光ディスク、  ３  ディスクトレイ、  ４  第１の凹部、  ５  第２の凹部、  ７  切欠部、  １１  ベース、  １２  ディスク回転駆動機構、  １３  光ピックアップ装置、  １４  ピックアップ送り機構、  １５  スピンドルモータ、  １７  ディスクテーブル  ２２  光学ブロック、  ２３  対物レンズ、  ３０  ピックアップ送りモータ。
【図１】
0004151145.tif 000002
【図２】
0004151145.tif 000003
【図３】
0004151145.tif 000004
【図４】
0004151145.tif 000005
【図５】
0004151145.tif 000006
【図６】
0004151145.tif 000007